【事件の表示】
　特願２００５−４５９９２号「電子機器保護部材の製造方法、及び当該製造方法により得られた電子機器保護部材」拒絶査定不服審判事件〔平成１８年９月７日出願公開、特開２００６−２３０４８９号〕について、次のとおり審決する。
【結　論】
　本件審判の請求は、成り立たない。
【理　由】
第１　手続の経緯の概要
　本件に係る出願（以下「本願」という。）は、平成１７年２月２２日の特許出願であって、平成２３年４月５日付けで拒絶査定がなされ（発送日：同年４月１２日）、これに対し、同年７月８日に拒絶査定不服審判の請求がなされるとともに、その審判の請求と同時に手続補正がなされたものである。
　
第２　平成２３年７月８日付け手続補正についての補正却下の決定
［補正却下の決定の結論］
　平成２３年７月８日付け手続補正（以下「本件補正」という。）を却下する。
　
［理由］
１　本件補正発明
　本件補正は、特許請求の範囲の請求項２について、本件補正前に「透明な表示窓を前面に備え、当該表示窓を通して表示部が視認される電子機器における前記表示窓の前方に対して前記表示部を臨むように配置される電子機器保護部材の製造方法であって、前記電子機器保護部材は、前記表示窓の前面側に対向して配設される透明窓部と、三次元的形状を有し、前記透明窓部の周囲の少なくとも一部に連続して形成される装飾部を含み、溶融状態の熱可塑性樹脂を金型内のキャビティ空間に射出充填した後、前記金型内部に配設された圧縮コアを前記キャビティ空間の方向に移動させ、前記キャビティ空間を圧縮賦形する射出圧縮成形方法により、前記装飾部の平均厚さが、前記透明窓部の平均厚さより薄くなるようにして、熱可塑性樹脂により前記透明窓部と前記装飾部を一体的に成形することを特徴とする電子機器保護部材の製造方法。」とあったものを「透明な表示窓を前面に備え、当該表示窓を通して表示部が視認される電子機器における前記表示窓の前方に対して前記表示部を臨むように配置される電子機器保護部材の製造方法であって、前記電子機器保護部材は、前記表示窓の前面側に対向して配設され
、断面が平坦状である
　上記補正について検討する。
　本件補正後の特許請求の範囲の請求項２に記載された発明は、透明窓部について、「
断面が平坦状である
　そこで、本件補正後の特許請求の範囲の請求項２に記載された発明（以下「本件補正発明」という。）が特許出願の際独立して特許を受けることができるものであるか（改正前特許法第１７条の２第５項において準用する同法第１２６条第５項の規定に適合するか）否かについて検討する。
　
２　先願発明
　原査定の拒絶の理由で引用された、本願の出願の日前の他の特許出願であって、その出願後に出願公開がされた特願２００５−２７７７６号（特開２００６−２１２２００号公報参照。以下「先願」という。）の願書に最初に添付した明細書又は図面（以下「先願明細書」という。）には、「パチンコ機前面板」に関して次の事項が図面とともに記載されている。  
　ア　「【請求項１】
　
ゴム成分を含むアクリル樹脂組成物からなるパチンコ機前面板
【請求項２】
　内径４００ｍｍの円筒状の枠の上に置き、中心部に１０ｋｇの荷重をかけた際のたわみ量が、５ｍｍ以下である請求項１に記載のパチンコ機前面板。」（【特許請求の範囲】）
　イ　「【発明が解決しようとする課題】
　従来のパチンコ機は、通常所定の間隔を設けて、２枚の前面板が設置されている。それらの前面板において、パチンコ球が直接接触する内側の前面板については、傷つきやすさの面からも、ガラスを用いることが必要であるが、パチンコ球と接触しない外側の前面板は、樹脂化されることが望まれていた。
　前面板の樹脂化が可能となると、前面板周囲の装飾と同時に成形が可能となり、パチンコ機前面板に意匠性を付与することができ、また前面板を軽量化することができるというメリットがある。しかし、高レベルな透明性と剛性が要求されるため、一般アクリル樹脂が好適ではあるが、前面板周囲の装飾を同時に成形した際の離型時等に割れてしまうという問題があった。また、ポリカーボネート樹脂を使用すると表面に傷がつきやすいという問題があった。」（段落【0004】〜【0005】） 
　ウ　「このマトリックス成分６０〜９５質量部と、ゴム成分５〜４０質量部をあわせて１００質量部とすることが好ましい。ゴム成分の配合量が、５質量部以上４０質量部以下であると、
パチンコ機前面板
パチンコ機に実装した際、前面板を手で押しても、背面のガラス板に接触することは稀で有り
　エ　「このようなアクリル樹脂組成物を成形して、パチンコ機前面板を得るにあたり、
成形方法は
射出圧縮成形
により成形する
　パチンコ機前面板として用いる成形品の厚みは、好ましくは１〜１０ｍｍであり、より好ましくは２〜８ｍｍである。この範囲内であれば、軽量化を図りながら、パチンコ機前面板としての強度を出すことができる。」（段落【0018】〜【0019】）
　オ　上記エの記載事項及び【図2】の図示内容によると、
前面板の断面形状が直線状であり
前面板周囲の装飾の断面形状が二次元形状であり
前面板と前面板周囲の装飾とが射出圧縮成形により一体成形される
前面板の厚さが５ｍｍであり、前面板周囲の装飾の厚さが１．５ｍｍである
　
　上記ア〜エの記載事項、上記オの認定事項および図面の図示内容を総合勘案すると、先願明細書には、次の発明（以下「先願発明」という。）が記載されているものと認める。
「ガラス板を備えたパチンコ機におけるガラス板の外側に実装される前面板の成形方法であって、
　前面板は、手で押しても背面のガラス板に接触することは稀であるように実装され、
　断面形状が直線状である前面板と、断面形状が二次元形状であり、前面板と同時に一体成形される前面板周囲の装飾とを具備し、
　射出圧縮成形により成形され、前面板の厚さが５ｍｍであり、前面板周囲の装飾の厚さが１．５ｍｍであるようにゴム成分を含むアクリル樹脂組成物からなる、前面板と前面板周囲の装飾とを同時に一体成形するパチンコ機前面板。」
　
３　対比
　本件補正発明と先願発明とを比較すると、先願発明の「ガラス板を備えたパチンコ機におけるガラス板の外側に実装される前面板」は、パチンコ機の遊技者が「ガラス板」を通して遊技盤を視認するものであり、かつ、「前面板」が「ガラス板」を臨むように配置されるものであることは明らかであるから、本件補正発明の「透明な表示窓を前面に備え、当該表示窓を通して表示部が視認される電子機器における表示窓の前方に対して表示部を臨むように配置される電子機器保護部材」に相当し、以下同様に、
　「成形方法」は、「製造方法」に、
　「前面板は、手で押しても背面のガラス板に接触することは稀であるように実装され」ることは、「電子機器保護部材は、表示窓の前面側に対向して配設され」ることに、
　「断面形状が直線状である前面板」は、「断面が平坦状である透明窓部」に、
　「断面形状が二次元形状であり、前面板と同時に一体成形される前面板周囲の装飾」は、「三次元的形状を有し、透明窓部の周囲の少なくとも一部に連続して形成される装飾部」に、
　「射出圧縮成形により成形され」ることは、「射出圧縮成形方法によ」ることに、
　「ゴム成分を含むアクリル樹脂組成物からなる、前面板と前面板周囲の装飾とを同時に一体成形する」ことは、アクリル樹脂が熱可塑性樹脂であることから、「熱可塑性樹脂により透明窓部と装飾部を一体的に成形すること」に、
それぞれ相当する。
　そして、先願発明の「前面板の厚さが５ｍｍであり、前面板周囲の装飾の厚さが１．５ｍｍである」ことは、本件補正発明の「装飾部の平均厚さが、透明窓部の平均厚さより薄くなる」ことに含まれる。
　
　したがって、本件補正発明と先願発明の一致点及び相違点は次のとおりである。
［一致点］
「透明な表示窓を前面に備え、当該表示窓を通して表示部が視認される電子機器における前記表示窓の前方に対して前記表示部を臨むように配置される電子機器保護部材の製造方法であって、前記電子機器保護部材は、前記表示窓の前面側に対向して配設され、断面が平坦状である透明窓部と、三次元的形状を有し、前記透明窓部の周囲の少なくとも一部に連続して形成される装飾部を含み、射出圧縮成形方法により、前記装飾部の平均厚さが、前記透明窓部の平均厚さより薄くなるようにして、熱可塑性樹脂により前記透明窓部と前記装飾部を一体的に成形することを特徴とする電子機器保護部材の製造方法。」
　
［相違点］
　射出圧縮成形方法が、本件補正発明では、溶融状態の熱可塑性樹脂を金型内のキャビティ空間に射出充填した後、金型内部に配設された圧縮コアをキャビティ空間の方向に移動させ、キャビティ空間を圧縮賦形するものであるのに対して、先願発明では、射出圧縮成形をどのような方法により行うのか不明である点。
　
４　当審の判断
　射出圧縮成形一般において、溶融状態の熱可塑性樹脂を金型内のキャビティ空間に射出充填した後、金型内部に配設された圧縮コアをキャビティ空間の方向に移動させ、キャビティ空間を圧縮賦形することにより射出圧縮成形を行う射出圧縮成形方法は、本願出願前に周知慣用の技術事項である（例えば、特開２００３−５３７７６号公報の段落【0023】〜【0024】や、特開２００３−３９５１０号公報の段落【0010】〜【0012】や、特開平８−１２７０４２号公報段落【0012】〜【0023】を参照。）。
　そして、先願発明において、射出圧縮成形方法として、溶融状態の熱可塑性樹脂を金型内のキャビティ空間に射出充填した後、金型内部に配設された圧縮コアをキャビティ空間の方向に移動させ、キャビティ空間を圧縮賦形することにより行う方法を採用することで新たな効果を奏するものとはいえない。
　してみると、上記相違点に係る事項は、先願発明における「表示窓を備え、当該表示窓を通じて表示部が視認される電子機器を保護する保護部材について、表面平滑性が良好で透明性に優れた透明窓部、及び三次元的な複雑形状の装飾部を一体的に備えており、熱可塑性樹脂により簡便かつ低コストで成形することができる電子機器保護部材の製造方法、及び当該製造方法により得られた電子機器保護部材を提供することにある。」（先願明細書段落【0009】を参照。）なる課題を解決するための具体化手段における微差であって、上記相違点は、実質的な相違点ではない。
　ゆえに、本件補正発明と先願発明とは、実質的に同一であり、しかも、本件補正発明の発明者が先願発明の発明者と同一の者であるとも、また、本願の出願の時にその出願人が上記先願の出願人と同一の者であるとも認められないので、本件補正発明は、特許法第２９条の２の規定により、特許出願の際独立して特許を受けることができない。
　
５　まとめ
　以上のとおりであるから、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項２に係る発明（以下「本願発明」という。）は、平成２２年１２月２１日付け手続補正書の特許請求の範囲の請求項２に記載された事項により特定される次のとおりのものである。
「透明な表示窓を前面に備え、当該表示窓を通して表示部が視認される電子機器における前記表示窓の前方に対して前記表示部を臨むように配置される電子機器保護部材の製造方法であって、前記電子機器保護部材は、前記表示窓の前面側に対向して配設される透明窓部と、三次元的形状を有し、前記透明窓部の周囲の少なくとも一部に連続して形成される装飾部を含み、溶融状態の熱可塑性樹脂を金型内のキャビティ空間に射出充填した後、前記金型内部に配設された圧縮コアを前記キャビティ空間の方向に移動させ、前記キャビティ空間を圧縮賦形する射出圧縮成形方法により、前記装飾部の平均厚さが、前記透明窓部の平均厚さより薄くなるようにして、熱可塑性樹脂により前記透明窓部と前記装飾部を一体的に成形することを特徴とする電子機器保護部材の製造方法。」
　
２　刊行物に記載された発明
　原査定の拒絶の理由に引用した先願、先願明細書の記載事項及び先願発明は、前記「第２［理由］２　先願発明」に記載したとおりである。
　
３　対比および判断
　本願発明は、前記「第２［理由］」において検討した本件補正発明において、透明窓部についての限定を省くものである。
　そうすると、実質的に本願発明の発明特定事項をすべて含み、さらに、他の発明特定事項を付加したものに相当する本件補正発明が、前記「第２［理由］３　対比、及び、４　当審の判断」に記載したとおり、先願発明と実質的に同一であるから、本願発明も同様に、先願発明と実質的に同一である。　
４　むすび
　以上のとおりであるから、本願発明は、先願発明と実質的に同一であり、特許法第２９条の２の規定により特許を受けることができない。
　したがって、本願のその他の請求項に係る発明について検討するまでもなく、本願は拒絶すべきものである。
　
　よって、結論のとおり審決する。